(57)【要約】      （修正有）【課題】情報コードが撮影窓外にはみ出していることを通知できるとともに、小型な情報コード読取装置を提供する。【解決手段】記録媒体に記述された情報コードを読み取る据置型の情報コード読取装置であって、撮影窓１４ａと、撮影窓内の画像を撮影する撮影手段と、撮影手段によって撮影された画像において、情報コードが撮影窓からはみ出しているか否かを判定する画像判定手段と、撮影窓の周囲を囲むように配置されており、画像判定手段によって情報コードが撮影窓からはみ出していると判定された場合に、前記画像において情報コードが撮影窓からはみ出している向きに応じて異なる点灯方法により点灯する点灯手段を有する。【選択図】図２
2013149139.tif 000002
【特許請求の範囲】
【請求項１】
記録媒体に記述された情報コードを読み取る据置型の情報コード読取装置であって、
撮影窓と、
撮影窓内の画像を撮影する撮影手段と、
撮影手段によって撮影された画像において、情報コードが撮影窓からはみ出しているか否かを判定する画像判定手段と、
撮影窓の周囲を囲むように配置されており、画像判定手段によって情報コードが撮影窓からはみ出していると判定された場合に、前記画像において情報コードが撮影窓からはみ出している向きに応じて異なる点灯方法により点灯する点灯手段、
を有する情報コード読取装置。
【請求項２】
撮影手段によって撮影窓内の画像を撮影する際に、点灯手段が点灯する請求項１に記載の情報コード読取装置。
【請求項３】
画像判定手段によって情報コードが撮影窓からはみ出していると判定された場合に、点灯手段が、輝点が移動するよう点灯する、または、点滅する請求項１または２に記載の情報コード読取装置。
【請求項４】
画像判定手段によって情報コードが撮影窓からはみ出していると判定された場合に、点灯手段が、前記画像において情報コードが撮影窓からはみ出している向きと反対向きに輝点が移動するように点灯する請求項１〜３の何れか一項に記載の情報コード読取装置。
【請求項５】
少なくとも一部に、読取面からその裏面に光が透過する領域が形成されている記録媒体に記述された情報コードを読み取る請求項１〜４の何れか一項に記載の情報コード読取装置。
【請求項６】
少なくとも一部に、点灯手段からの光に反応して光を発するインクが塗布されており、インクが発する光を読取面の裏面において視認可能とされている記録媒体に記述された情報コードを読み取る請求項１〜４の何れか一項に記載の情報コード読取装置。
【発明の詳細な説明】
【技術分野】
【０００１】
本発明は、据置型の情報コード読取装置に関する。
【背景技術】
【０００２】
特許文献１には、据置型の情報コード読取装置が開示されている。この情報コード読取装置は、撮影窓と、撮影手段を有している。携帯端末に表示された情報コードが撮影窓内に配置されると、撮影手段によって撮影窓内の情報コードが撮影される。そして、撮影された画像に基づいて、情報が読み取られる。ユーザが情報コードを撮影窓内に配置する場合には、ユーザは情報コードを視認できない。したがって、情報コード全体が撮影窓内に位置しているか否かがユーザにとって分かり難く、情報コードが部分的に撮影窓外にはみ出すことがある。このような場合に、特許文献１の情報コード読取装置は、情報コードを撮影窓内の適切な位置に移動させるように、液晶表示部によって表示を行う。したがって、ユーザは、情報コードの位置ずれを修正することができる。
【先行技術文献】
【特許文献】
【０００３】
【特許文献１】特開２００７−２０７０８５号公報
【発明の概要】
【発明が解決しようとする課題】
【０００４】
特許文献１の情報コード読取装置では、情報コードが撮影窓外にはみ出していることを通知するために、撮影窓とは別個に液晶表示部が設けられている。このため、情報コード読取装置が大型化するという問題があった。したがって、本明細書では、情報コードが撮影窓外にはみ出していることを通知できるとともに、小型な情報コード読取装置を提供する。
【課題を解決するための手段】
【０００５】
本明細書が開示する情報コード読取装置は、記録媒体に記述された情報コードを読み取る据置型の情報コード読取装置である。この情報コード読取装置は、撮影窓と、撮影窓内の画像を撮影する撮影手段と、撮影手段によって撮影された画像において、情報コードが撮影窓からはみ出しているか否かを判定する画像判定手段と、撮影窓の周囲を囲むように配置されており、画像判定手段によって情報コードが撮影窓からはみ出していると判定された場合に、前記画像において情報コードが撮影窓からはみ出している向きに応じて異なる点灯方法により点灯する点灯手段を有する。
【０００６】
なお、本明細書において、情報コードは、携帯端末等の表示画面に表示された情報コードであってもよいし、紙等に印刷された情報コードであってもよい。また、点灯手段は、光を発することができる手段であればよく、例えば、ライトや、表示機等を用いることができる。また、点灯手段が点灯するとは、発光可能な領域のうちの少なくとも一部が光を発することを意味する。また、光を発する部分の位置が時間的に変化してもよい。また、点灯には、点滅等のように光量が時間的に変化するものも含まれる。
【０００７】
この情報コード読取装置では、情報コードが撮影窓からはみ出している場合に、点灯手段が点灯する。このとき、そのはみ出している向きに応じて点灯方法が変化する。したがって、ユーザは、点灯手段の点灯状態に基づいて、情報コードの位置を修正することができる。したがって、この情報コード読取装置は、情報コードを適切に読み取ることができる。また、点灯手段は撮影窓の周囲を囲むように配置されているため、点灯手段と撮影窓を略一体化させることができる。このため、この情報コード読取装置は、小型化が可能である。
【０００８】
上述した情報コード読取装置は、撮影手段によって撮影窓内の画像を撮影する際に、点灯手段が点灯することが好ましい。
【０００９】
このような構成によれば、点灯手段を、撮影時に情報コードを照らすための光源としても用いることができる。このため、撮影用の光源を別途設ける必要がないか、あるいは、別途設ける撮影用の光源を小型化できる。したがって、より小型な情報コード読取装置を提供することができる。
【００１０】
上述した情報コード読取装置は、画像判定手段によって情報コードが撮影窓からはみ出していると判定された場合に、点灯手段が、輝点が移動するよう点灯する、または、点滅することが好ましい。
【００１１】
このような構成によれば、ユーザが点灯手段の点灯を認識し易くなる。
【００１２】
上述した情報コード読取装置は、画像判定手段によって情報コードが撮影窓からはみ出していると判定された場合に、点灯手段が、前記画像において情報コードが撮影窓からはみ出している向きと反対向きに輝点が移動するように点灯することが好ましい。なお、輝点とは、発行可能な領域のうちで最も明るく発光している部分を意味する。
【００１３】
このような構成よれば、ユーザは、輝点が移動する向きに記録媒体を移動させることで、情報コード全体を撮影窓内に位置させることができる。
【００１４】
上述した情報コード読取装置は、少なくとも一部に読取面からその裏面に光が透過する領域が形成されている記録媒体に記述された情報コードを読み取るものであってもよい。
【００１５】
このような構成によれば、記録媒体のサイズが大きいために点灯手段が記録媒体によって覆われる場合でも、ユーザが点灯手段からの光を視認することができる。
【００１６】
上述した情報コード読取装置は、少なくとも一部に、点灯手段からの光に反応して光を発するインクが塗布されており、インクが発する光を読取面の裏面において視認可能とされている記録媒体に記述された情報コードを読み取るものであってもよい。
【００１７】
このような構成によれば、記録媒体のサイズが大きいために点灯手段が記録媒体によって覆われる場合でも、ユーザがインクからの光を視認することができる。
【図面の簡単な説明】
【００１８】
【図１】実施例１の２次元コードリーダ１０の概略断面図。
【図２】実施例１の２次元コードリーダ１０の上面図。
【図３】制御装置２４が実行する処理を示すフローチャート。
【図４】２次元コードのＦＰ４０の説明図。
【図５】ＦＰ４０の検出数が１つである場合の状態の説明図。
【図６】各ＬＥＤに通電するタイミングを示すグラフ。
【図７】ＦＰ４０の検出数が２つである場合の状態の説明図。
【図８】実施例１の２次元コードリーダ１０の上面図。
【図９】ＦＰ４０の検出数が３つである場合の状態の説明図。
【図１０】光を透過する領域６０を備えた記録媒体の平面図。
【図１１】変形例において各ＬＥＤに通電するタイミングを示すグラフ。
【図１２】実施例２の２次元コードリーダの上面図。
【発明を実施するための形態】
【実施例１】
【００１９】
図１、２に示す実施例１の２次元コードリーダ１０は、据置型（すなわち、所定の位置に固定されて使用されるタイプ）の２次元コードリーダである。２次元コードリーダ１０は、空港のゲートに設置されている。２次元コードリーダ１０は、記録媒体の２次元コード（例えば、飛行機の搭乗チケットに印刷された２次元コードや、携帯機器の液晶画面に表示された２次元コード）を読み取る。読み取った情報が適切な場合に、ゲートの通過が許可される。
【００２０】
２次元コードリーダ１０は、筐体１２と、筐体１２の内部に配置されている透明板１４、導光部材１６、複数のＬＥＤ２０、ＬＥＤ基板１８及び撮像素子２２を有している。
【００２１】
筐体１２は、上部に開口１２ａが形成されているケースである。導光部材１６は、半透明の樹脂により構成されている。導光部材１６は、筐体１２の開口１２ａに沿って伸びる枠形状を有している。透明板１４は、透明な樹脂により構成されている。透明板１４は、導光部材１６の中央の開口１６ａを塞ぐ位置に配置されている。ＬＥＤ基板１８は、導光部材１６の下側に配置されている。ＬＥＤ基板１８は、導光部材１６に沿って伸びる枠形状を有している。複数のＬＥＤ２０は、ＬＥＤ基板１８の上面に実装されている。図２に示すように、複数のＬＥＤ２０は、透明板１４の周囲に、略均等間隔で配置されている。より詳細には、図２に示すように、透明板１４の左辺に沿って４つのＬＥＤ２０ａ−１〜２０ａ−４が均等間隔で配置されており、透明板１４の上辺に沿って５つのＬＥＤ２０ｂ−１〜２０ｃ−５が均等間隔で配置されており、透明板１４の右辺に沿って４つのＬＥＤ２０ｃ−１〜２０ｃ−４が均等間隔で配置されており、透明板１４の下辺に沿って５つのＬＥＤ２０ｄ−１〜２０ｄ−５が均等間隔で配置されている。ＬＥＤ２０は、可視光を発する。撮像素子２２は、筐体１２の底部近傍に配置されている。撮像素子２２は、上向きに配置されており、透明板１４を通して筐体１２の外部を撮影することができる。すなわち、透明板１４は、撮像素子２２の撮影範囲を規定している。以下では、透明板１４の外周面１４ａ（すなわち、撮像素子２２の撮影範囲）を、撮影窓１４ａという。
【００２２】
また、２次元コードリーダ１０は、制御装置２４を有している。制御装置２４は、撮像素子２２に接続されているとともに、ＬＥＤ基板１８を介して各ＬＥＤ２０に接続されている。制御装置２４は、撮像素子２２及び各ＬＥＤ２０を制御する。また、制御装置２４は、撮像素子２２によって撮影された画像に基づいて、デコードを実行する。
【００２３】
次に、２次元コードリーダ１０の動作について説明する。２次元コードリーダ１０によって記録媒体の２次元コードを読み取らせる場合には、ユーザは、記録媒体の２次元コードが印刷または表示されている面を透明板１４上にかざす。透明板１４上に記録媒体をかざすと、筐体１２内の明るさの変化が撮像素子２２等により検出される。すると、制御装置２４が図３に示す処理を実行する。
【００２４】
ステップＳ２では、制御装置２４は、全てのＬＥＤ２０を点灯させる。これによって、各ＬＥＤ２０の光が、導光部材１６を介して透明板１４上の記録媒体に照射される。制御装置２４は、全てのＬＥＤ２０を点灯させている状態で、撮像素子２２によって撮影窓１４ａ内の画像を撮影する。すなわち、撮像素子２２によって、透明板１４上に配置されている記録媒体を撮影する。撮影された画像データは、制御装置２４に読み込まれる。
【００２５】
ステップＳ４では、制御装置２４は、ステップＳ２で読み込んだ画像データの中から、ファインダーパターンの位置を特定する。図４に示すように、一般的な２次元コードは、４つの角部のうちの３つに、位置特定用のファインダーパターン４０（以下、ＦＰ４０という）を有している。ステップＳ４では、制御装置２４は、画像データから３つのＦＰ４０の位置を特定する。画像データに２次元コード全体が含まれていれば（すなわち、撮影時に撮影窓１４ａ内に２次元コード全体が配置されていれば）、ステップＳ４で３つのＦＰ４０の位置が特定される。２次元コードが撮影窓１４ａからはみ出している場合には、いくつかのＦＰ４０の位置を特定できない場合がある。なお、ＦＰ４０の位置の特定方法は、従来公知であるので、その詳細についての説明は省略する。
【００２６】
ステップＳ６では、制御装置２４は、ステップＳ２で読み込んだ画像データと、ステップＳ４で特定したＦＰ４０の位置に基づいて、画像データから情報の復元（デコード）を実行する。画像データに２次元コード全体が含まれていれば、デコードを実行することができる。デコード方法は、従来公知であるので、その詳細についての説明は省略する。なお、ステップＳ４で、検出できないＦＰ４０があった場合には、ステップＳ６を省略してもよい。
【００２７】
ステップＳ８では、制御装置２４は、ステップＳ６でデコードができたか否か（すなわち、情報を復元できたか否か）を判定する。デコードができた場合（すなわち、ステップＳ８でＹＥＳの場合）には、制御装置２４は、デコードにより得られた情報が適正であるか否かを判定し（ステップＳ１０）、その判定結果を図示しない報知装置（空港のゲートに設置されている報知装置）によって報知する（ステップＳ１２）。デコードにより得られた情報が適正であれば、ユーザに対してゲートの通過が許可される。デコードにより得られた情報が適正でなければ、ユーザに対してゲートの通過は許可されない。
【００２８】
他方、ステップ８でＮＯと判定した場合には、制御装置２４は、ステップＳ１４を実行する。ステップＳ１４では、制御装置２４は、ステップＳ４において検出できたＦＰ４０の数を判定する。以下に説明するように、ＦＰ４０の検出数によって、２次元コードが撮影窓１４ａからはみ出しているか否かを特定することができる。
【００２９】
図示していないが、ステップＳ１４において、ＦＰ４０の検出数が０個であると判定した場合には、制御装置２４は、図３の処理を終了する。
【００３０】
ステップＳ１４において、ＦＰ４０の検出数が１個であると判定した場合には、制御装置２４は、ステップＳ１６を実行する。ステップＳ１６では、２次元コードの位置ずれ方向を特定する処理を実行する。図５は、撮像素子２２による撮影時における撮影窓１４ａと２次元コードとの位置関係を示している。ＦＰ４０の検出数が１個である場合には、図５の状態Ａ１〜Ａ４に示すように、２次元コードが撮影窓１４ａの４つの角部５０ａ〜５０ｄの何れかの上部に位置していると考えられる。制御装置２４は、検出された１つのＦＰ４０の位置から、２次元コードが何れの角部上に存在しているかを特定する。
【００３１】
ステップＳ１８では、制御装置２４は、ＬＥＤ２０を点灯させる。このとき、制御装置２４は、ステップＳ１６で特定した２次元コードの位置ずれ方向に応じて、ＬＥＤ２０の点灯方法を変更する。すなわち、制御装置２４は、ステップＳ１６で２次元コードが存在していると特定された角部から、その角部に繋がっている２つの辺に沿って、輝点が移動するようにＬＥＤ２０を点灯させる。例えば、図５の状態Ａ１に示すように２次元コードが左上の角部５０ａの上部に存在すると判定された場合には、制御装置２４は、図２の矢印１０２に示すように、撮影窓１４ａの左辺に沿って配置されているＬＥＤ２０ａ−１〜２０ａ−４を、ＬＥＤ２０ａ−１からＬＥＤ２０ａ−４に向かって（すなわち、上から下に向かって）輝点が移動するように点灯させる。同時に、制御装置２４は、図１の矢印１０４に示すように、撮影窓１４ａの上辺に沿って配置されているＬＥＤ２０ｂ−１〜２０ｂ−５を、ＬＥＤ２０ｂ−１からＬＥＤ２０ｂ−５に向かって（すなわち、左から右に向かって）輝点が移動するように、点灯させる。なお、図６は、この場合にＬＥＤ２０ａ−１〜２０ａ−４に通電する電流Ｉを示している。電流Ｉが高いタイミングにおいて、ＬＥＤ２０が発光する。図６に示すようにＬＥＤ２０ａ−１〜２０ａ−４を制御することで、矢印１０２に示すように輝点を移動させることができる。ユーザが輝点の移動方向に記録媒体を移動させると、２次元コードが撮影窓１４ａ内に移動する。したがって、ユーザは容易に２次元コードの位置ずれを修正することができる。
【００３２】
ステップＳ１４において、ＦＰ４０の検出数が２個であると判定した場合には、制御装置２４は、ステップＳ２０において、２次元コードの位置ずれ方向を特定する処理を実行する。図７は、撮像素子２２による撮影時における撮影窓１４ａと２次元コードとの位置関係を示している。ＦＰ４０の検出数が２個である場合には、図４の状態Ｂ１〜Ｂ４に示すように、２次元コードが撮影窓１４ａの４つの辺５２ａ〜５２ｄの何れかの上部に位置していると考えられる。制御装置２４は、検出された２つのＦＰ４０の位置から、２次元コードが何れの辺上に存在しているかを特定する。
【００３３】
ステップＳ２２では、制御装置２４は、ＬＥＤを点灯させる。このとき、制御装置２４は、ステップＳ２０で特定した２次元コードの位置ずれ方向に応じて、ＬＥＤ２０の点灯方法を変更する。すなわち、制御装置２４は、ステップＳ２０で２次元コードが存在していると特定された辺から、その反対側の辺に向かって、輝点が移動するようにＬＥＤ２０を点灯させる。例えば、図７の状態Ｂ１に示すように２次元コードが左辺５２ａの上部に存在すると判定された場合には、制御装置２４は、図８の矢印１０６に示すように、撮影窓１４ａの上辺５２ｂに沿って配置されているＬＥＤ２０ｂ−１〜２０ｂ−５を、ＬＥＤ２０ｂ−１からＬＥＤ２０ｂ−５に向かって輝点が移動するように点灯させる。同時に、制御装置２４は、図８の矢印１０８に示すように、撮影窓１４ａの下辺５２ｄに沿って配置されているＬＥＤ２０ｄ−１〜２０ｄ−５を、ＬＥＤ２０ｄ−１からＬＥＤ２０ｄ−５に向かって輝点が移動するように点灯させる。また、例えば、図７の状態Ｂ２に示すように２次元コードが上辺５２ｂの上部に存在すると判定された場合には、制御装置２４は、図８の矢印１１０に示すように、撮影窓１４ａの左辺５２ａに沿って配置されているＬＥＤ２０ａ−１〜２０ａ−４を、ＬＥＤ２０ａ−１からＬＥＤ２０ａ−４に向かって輝点が移動するように点灯させる。同時に、制御装置２４は、図８の矢印１１２に示すように、撮影窓１４ａの右辺５２ｃに沿って配置されているＬＥＤ２０ｃ−１〜２０ｃ−４を、ＬＥＤ２０ｃ−１からＬＥＤ２０ｃ−４に向かって輝点が移動するように点灯させる。ユーザが輝点の移動方向に記録媒体を移動させると、２次元コードが撮影窓１４ａ内に移動する。したがって、ユーザは容易に２次元コードの位置ずれを修正することができる。
【００３４】
ステップＳ１４において、ＦＰ４０の検出数が３個であると判定した場合には、制御装置２４は、ステップＳ２４で２次元コードの位置判定処理を行う。すなわち、ＦＰ４０の検出数が３個である場合には、図９に示すように撮影窓１４ａに対して２次元コードが斜めに配置されることで２次元コードの一部が撮影窓１４ａの外にはみ出している場合と、２次元コードが汚れ等によって不鮮明であるためにデコードできない場合とが考えられる。このため、ステップＳ２４では、制御装置２４は、撮影窓１４ａの中心に最も近いＦＰ４０の位置に基づいて、２次元コードの全体が撮影窓１４ａ内に含まれているか、２次元コードが撮影窓１４ａからはみ出しているかを判定する。２次元コードの全体が撮影窓１４ａ内に含まれている場合（すなわち、ステップＳ２４でＹＥＳの場合）には、２次元コードが不鮮明であると考えられる。したがって、この場合には、制御装置２４は、ステップＳ２８で報知手段によってエラーを報知する。２次元コードが撮影窓１４ａからはみ出している場合と判定した場合（すなわち、ステップＳ２４でＮＯの場合）には、制御装置２４は、ステップＳ２６で、そのはみ出している向きに応じた方法でＬＥＤ２０を点灯させる。ステップＳ２６でＬＥＤ２０を点灯させる方法は、ステップＳ１８、Ｓ２２と同様である。したがって、ユーザが輝点の移動方向に記録媒体を移動させると、２次元コードが撮影窓１４ａ内に移動する。したがって、ユーザは容易に２次元コードの位置ずれを修正することができる。
【００３５】
制御装置２４は、透明板１４上に記録媒体が配置されている間は、図３の処理を繰り返し実行する。したがって、ステップＳ１８、Ｓ２２、または、Ｓ２６でユーザによって２次元コードの位置が適切に修正されると、次のステップＳ６で制御装置２４がデコードに成功する。このように、２次元コードリーダ１０はＬＥＤ２０の点灯によってユーザに記録媒体の位置を修正することを促すため、ユーザは容易に２次元コードリーダ１０に２次元コードを読み取らせることができる。
【００３６】
以上に説明したように、２次元コードリーダによれば、撮影窓１４ａの周囲に配置されたＬＥＤ２０によって、ユーザに２次元コードの位置の修正を指示することができる。したがって、２次元コードリーダの小型化を図ることができる。また、ＬＥＤ２０は、画像を撮影する際の照明としても使用される。照明として使用されるＬＥＤ２０を位置修正の指示用にも使用するので、位置修正の指示用のデバイスを別途設ける必要がない。したがって、２次元コードリーダのさらなる小型化が図られている。また、ユーザは、記録媒体から視点を動かすことなくＬＥＤ２０による位置修正の指示を認識することができるので、より容易に位置修正を行うことができる。また、２次元コードリーダ１０は２次元コードがはみ出している側からその反対側に輝点が移動するようにＬＥＤ２０を点灯させるので、ユーザはその輝点の移動方向に記録媒体を移動させるだけで、２次元コードの位置を適切に修正することができる。
【００３７】
なお、２次元コードリーダ１０の表面が、厚みの厚い記録媒体によって覆われると、ＬＥＤ２０が見えなくなることがある。したがって、記録媒体がシート状（例えば、搭乗チケット等）である場合には、図１０に示すように、２次元コードの周囲に光を透過する領域６０が設けられていてもよい。
【００３８】
また、実施例１において、図６の点灯方法に代えて、図１１の点灯方法を採用してもよい。図１１の点灯方法は、最も高い電流を流す期間（すなわち、ＬＥＤを最も明るく点灯させる期間）９２がＬＥＤ２０ａ−１からＬＥＤ２０ａ−４に向かって遷移する点は図６と同じであるが、最も高い電流を流す期間９２と共に、低い電流を流す期間９４、９６もＬＥＤ２０ａ−１からＬＥＤ２０ａ−４に向かって遷移する。
【実施例２】
【００３９】
図１２に示す実施例２の２次元コードリーダは、実施例１のＬＥＤ２０に代えて、ＬＥＤ２１を有している。ＬＥＤ２１は、紫外光を発するＬＥＤである。また、各ＬＥＤ２１の間に、可視光を発するＬＥＤ２３が配置されている。また、実施例２の２次元コードリーダ１０に対して使用される記録媒体は、蛍光インクが塗布されたシート状の記録媒体である。
【００４０】
実施例２の２次元コードリーダは、図３のステップＳ２、Ｓ１８、２２、Ｓ２６の処理が、実施例１の２次元コードリーダ１０と異なる。実施例２の２次元コードリーダは、ステップＳ２において、可視光を発するＬＥＤ２３を点灯させた状態で、画像を撮影する。また、実施例２の２次元コードリーダは、ステップＳ１８、Ｓ２２、Ｓ２６で、紫外光を発するＬＥＤ２１を点灯させる。すなわち、ステップＳ２で点灯させるＬＥＤと、ステップＳ１８、Ｓ２２、Ｓ２６で点灯させるＬＥＤとが異なる。ステップＳ１８、Ｓ２２、Ｓ２６でＬＥＤ２１を点灯させると、ＬＥＤ２１からの紫外光に反応して、記録媒体に塗布されている蛍光インクが発光する。蛍光インクが発する光は、記録媒体の裏面（２次元コードが印刷されている面の裏面）において視認可能とされている。したがって、ユーザは、蛍光インクが発する光を見て、記録媒体の位置を修正することができる。
【００４１】
なお、他の実施形態においては、上述した実施例１、２とは異なる方法でＬＥＤを点灯させてもよい。２次元コードがはみ出している向きに応じてＬＥＤの点灯方法が変更されれば、ユーザはそのはみ出している向きを認識することができる。この場合、ＬＥＤを点滅させるか、輝点が移動するようにＬＥＤを点灯させる方がよい。このような構成によれば、ユーザがＬＥＤの点灯をより認識し易くなる。
【００４２】
以上、本発明の具体例を詳細に説明したが、これらは例示にすぎず、特許請求の範囲を限定するものではない。特許請求の範囲に記載の技術には、以上に例示した具体例をさまざまに変形、変更したものが含まれる。
本明細書または図面に説明した技術要素は、単独であるいは各種の組み合わせによって技術的有用性を発揮するものであり、出願時請求項記載の組み合わせに限定されるものではない。また、本明細書または図面に例示した技術は複数目的を同時に達成するものであり、そのうちの一つの目的を達成すること自体で技術的有用性を持つものである。
【符号の説明】
【００４３】
１０：２次元コードリーダ
１２：筐体
１４：透明板
１４ａ：撮影窓
１６：導光部材
１８：ＬＥＤ基板
２０：ＬＥＤ
２２：撮像素子
２４：制御装置
４０：ファインダーパターン
【図１】
2013149139.tif 000003
【図２】
2013149139.tif 000004
【図３】
2013149139.tif 000005
【図４】
2013149139.tif 000006
【図５】
2013149139.tif 000007
【図６】
2013149139.tif 000008
【図７】
2013149139.tif 000009
【図８】
2013149139.tif 000010
【図９】
2013149139.tif 000011
【図１０】
2013149139.tif 000012
【図１１】
2013149139.tif 000013
【図１２】
2013149139.tif 000014